(57)【要約】【課題】従来にある注射針は、注入および採血における流れが直線的になり、注入および吸排出時において、らせん回転しながら往来している血流の血管に超微細な酸化要因となる摩擦熱を与えるばかりか、注入負荷を与えることになる。【解決手段】本発明における注射針および液体注入吸排出口又は素材物混合容器の内部構造は、従来においては、注射針および液体注入吸排出口又は素材物混合容器としての構造であり、らせん回転の流れをもたせることで、血流の血管に超微細な酸化要因となる摩擦熱を軽減し生態系におけるＤＮＡのらせん回転の右回り構成、体内の血流らせん回転、自然界の河川の流れ、巻貝の右回りの摂理をもとに、注射針および液体注入吸排出口又は素材物混合容器における液体の注入および排水溝内部壁に、注入排水方向に向かって右回りのらせん回転をもたせることで酸化を軽減させるようにしたものである。【選択図】図５
2013212339.tif 000002
【特許請求の範囲】
【請求項１】
少なくとも液体を対象物に注入若しくは吸排出および混合容器において当該容器のそれぞれの内部壁に右回り又は左回りのらせん回転の溝、若しくは山なみを設けることにより、対象物への注入ならび吸排出口又は素材物混合が、らせん回転の流れをもたせることを特徴とする容器の内部構造。
【請求項２】
液体を対象物に注入若しくは吸排出に用いる注射針の内部壁構造さらに外壁構造において、らせん回転は対象物への注入および吸排出方向に向けた時に点滴注射針、栄養注射針は右回り、採血注射針は左回りのらせん回転にすることで血液採取が右回りで酸化負荷のストレスを受けない血液生化学検査の検体採取とすることができることを特徴とする請求項１に記載のらせん回転をもたせた注射針構造。
【請求項３】
らせん構造をもたせた注射針は、プラスチック、ガラス、金属、ＡＢＳ樹脂である不活性素材を用いることを特徴とする請求項１又は２に記載の注射針内部壁に右回りのらせん回転をもたせた注射針構造。
【請求項４】
らせん構造をもたせた注射針は、人間および動植物・魚介類への注射針全てにおよび点滴針ならびに医療器具の血液注入における管の内部壁さらに外部癖に、らせん回転の溝若しくは山なみは、右回りのらせん回転であることを特徴とする請求項１、２又は３に記載のらせん回転をもたせた注射針構造。
【請求項５】
ビン容器ならびに各種容器に、らせん構造をもたせた液体注入吸排出口は、プラスチック、ガラス、金属、ＡＢＳ樹脂、グラスボード、ゴムであることを特徴とする請求項１に記載の内部壁に右回りのらせん回転をもたせた液体注入吸排出口の内部構造。
【請求項６】
らせん構造をもたせた燃料注入吸排出口は、乗り物である飛行機、自動車、船舶、オートバイの液体注入吸排出に用い、液体注入吸排出口の内部壁に右回りのらせん回転をもたせることを特徴とする請求項１又は５に記載の液体注入吸排出口の内部構造。
【請求項７】
液体を対象物に注入若しくは抜き取り操作に用いる射し込み針および液体注入器具内部壁のらせん回転の構、若しくは山なみは、円筒に形態加工後、円筒内部に所定の太さの芯棒を挿入し、外部から内部が右回り回転の溝構造になるように圧縮成型することを特徴とする請求項１、２、３、４、５又は６に記載の注射針および液体注入吸排出口の内部構造。
【請求項８】
右回りのらせん回転を用いた本発明の利用は、飲食物、製薬加工の混合過程にける混合水の注入においても注入放水管内部壁の構造にも、らせん回転の溝若しくは山なみを設けることを特徴とする請求項１に記載の液体注入吸排出口の内部構造。
【請求項９】
らせん回転を用いた本発明の利用は、飲食物、製薬加工の混合過程にける混合素材される容器を卵型にして当該内部壁を右回りのらせん回転の溝若しくは山なみを設け、右回りらせん回転をほどこすことを特徴とする請求項１に記載の素材物混合容器の内部構造。
【請求項１０】
らせん回転を用いた本発明の利用は、攪拌生成するミキサーの素材容器内部壁を右回りのらせん回転の溝若しくは山なみを設け、右回りらせん回転をほどこすことを特徴とする請求項１又は９に記載の素材物混合容器の内部構造。
【請求項１１】
らせん回転を用いた本発明の利用は、ダム湖水放水時における放水口の筒内部壁を、右回りのらせん回転の溝若しくは山なみを設け、右回りらせん回転をほどこすことを特徴とする請求項１又８に記載の吸排出口の内部構造。
【請求項１２】
らせん回転を用いた本発明の利用は、水道水の蛇口内部壁に、右回りのらせん回転の溝若しくは山なみを設け、水流が右回りらせん回転をほどこすことを特徴とする請求項１、８又は１１に記載の吸排出口の内部構造。
【請求項１３】
らせん回転を用いた本発明の利用は、生活排水の各種吸排水溝の筒内部壁に用いることにおいて、生活排水器具として、浴槽排水口、洗濯機器吸排水口、糞尿排水溝、工場での吸排水口の各内部壁に、らせん回転の溝若しくは山なみを設け、右回りらせん回転をほどこすことを特徴とする請求項１、８、１１又は１２に記載の吸排出口の内部構造。
【請求項１４】
らせん回転を用いた本発明の利用は、魔法瓶吸排出口およびビン又は飲料水のペットボトル先端部の口をつける飲み口部分の内部壁に、右回りのらせん回転の溝若しくは山なみを設け、右回りらせん回転をほどこすことを特徴とする請求項１、８、１０、１１、１２又は１３に記載の吸排出口の内部構造。
【請求項１５】
らせん回転を用いた本発明の利用は、珈琲および飲み物をドリップする排出口の内部壁を、右回りのらせん回転の溝若しくは山なみを設け、右回りらせん回転をほどこすことを特徴とする請求項１、８、１０、１１、１２、１３又は１４に記載の吸排出口の内部構造。
【請求項１６】
らせん回転を用いた本発明の利用は、クラッシュタイプの飲食摂取容器の排出口内部壁を、右回りのらせん回転の溝若しくは山なみを設け、右回りらせん回転をほどこすことを特徴とする請求項１、８、１０、１１、１２、１３、１４又は１５に記載の吸排出口の内部構造。
【発明の詳細な説明】
【技術】
【０００１】本発明は、液体を対象物に注入若しくは吸排出および混合容器において当該容器のそれぞれの内部壁に右回り又は左回りのらせん回転の溝、若しくは山なみを設けることにより、対象物への注入ならび吸排出口又は素材物混合で、らせん回転の流れをもたせることを特徴とする容器の内部構造にかんする。
【０００２】本発明における注射針および液体注入吸排出口又は素材物混合容器の内部構造は、従来においては、注射針および液体注入吸排出口又は素材物混合容器としての構造であり、らせん回転の流れをもたせることで、生態系におけるＤＮＡらせん回転の右回り構成、体内の血流らせん回転、自然界の水の流れ、巻貝の右回りの摂理をもとに、注射針および液体注入吸排出口又は素材物混合容器液体の注入および排水溝内部壁に、注入排水方向に向かって右回りのらせん回転をもたせることに着眼したものである。
【背景技術】
【０００３】しかし従来の注射針は、太さをより極細にして痛くない注射針又はより簡易な操作で針を覆うことができるプロテクタを提供する（［特許文献１］）特許第３５５３１２４号などがあるが、そして、吸排出口の筒管においては、排水器具にトラップが設けられ圧力調整で排水の臭気が排水設備を通して屋内に流れ込まない工夫を提供する（［特許文献２］）特許第４２８３９５６号であり、なお、素材物混合容器においては、上下二つのキャップとからなる容器において、容器を開蓋し、開閉操作が容易にできるようにした二種内容物混合容器などを提供する（［特許文献３］）特許第４５２２８７６号であり、本発明の生態系におけるＤＮＡらせん回転の右回り構成、体内の血流らせん回転で採血およびワクチン、栄養剤注入の意識は盛りこめられていないことから、本発明とは技術的意義を全く異にする。
【特許文献１】特許第３５５３１２４号
【特許文献２】特許第４２８３９５６号
【特許文献３】特許第４５２２８７６号
【０００４】今日、様々な複合的な要因において大気汚染が深刻な問題となっている中で、体内の酸化、すなわち生体防御に欠かせない活性酸素が必要以上に発生し、様々な病気誘発が懸念されている。【０００５】自然摂理の生態系において、食糧ならびに薬草の酵素や効能を死滅させない温度が４５℃以下であることが注目されている。川の流れが、らせん回転していることで一定の温度を保ち魚をはじめとした生物の生息が、極端な温度変化をもたらさないことで、川沿いの生態系が健全に維持されていることに着眼したのであり、人工的に河川工事された場所の川の流れ、上流のダムから排出される冷水や、らせん回転の流れが乱れていることによる下流の魚介類並びに植物の生体系が絶滅の危機にさらされているのである。【０００６】すでに、同軸での高速および低速回転や直線的な動きは、接触面が大きいことで微細な摩擦熱が起きて磁波や高熱が生じ、混合素材物が酸化することは周知され、薬草混合に見られる手作業での混合が重要視されてきているのである。
【発明の概要】
【発明が解決しようする課題】
【０００７】従来にある注射針は、注入および採血における流れが直線的になり、注入および吸排出時において、らせん回転しながら往来している血流の血管に超微細な酸化要因となる摩擦熱を与え注入負荷を与えることになるのを防ぐために、らせん回転は対象物への注入および吸排出方向に向けた時に右回りのらせん回転にすることで血液採取が酸化負荷ストレスを受けない血液生化学検査の検体液とすることができるようにしたのである。
【０００８】すなわち、血管内に不自然な流れの液体を注入することになるのであり、らせん回転を施した注射針での点滴、ワクチン、栄養剤注射全てにおいて注入および採血において酸化をより抑制した注射針とするばかりでなく、注射針内壁および外壁にらせん回転の溝、若しくは山なみを設けることにより、血管内の血流の体内負荷を軽減させるだけでなく、針先注入時にらせん回転注入により針先の接触面が減らせることで痛みを軽減させ、らせん回転の活用は、さらに吸排水溝の排水の酸化を軽減、素材物混合の摩擦熱による酸化を防止する手段が実現したのである。
【０００９】そして、液体注入吸排出の管や吸排出先端口の内部壁を、らせん回転の溝、若しくは山なみを設けることにより、吸排水の流れが早くなり、らせん回転での流れで接触面が減りされ摩擦熱が発生しないことで、吸排水効率が格段に上がるのである。
【００１０】充満している一升瓶に、らせん回転を与えて酒を排水させると、単に一升瓶を逆さまにして酒を排水させるのとでは明らかに、半分以下の時間で排水ができることを酒造りに従事している方々は周知しているのである。
【００１１】さらに、素材物混合において上下移動の混合同又は同軸での高速および低速回転や直線的な動きは、接触面が大きいことで微細な摩擦熱が起きて磁波や高熱が生じ、混合素材物が酸化することは周知され、薬草混合に見られる手作業での混合が重要視されてきているのである。
【課題を解決するための手段】
【００１２】本発明は、液体を対象物に注入若しくは抜き取り操作の吸排出に用いる注射針および液体注入吸排出口の内部構造又は素材物混合容器において、当該の射し込み針および液体注入吸排出口又は素材物混合容器のそれぞれの内部壁にらせん状の溝、若しくは山なみを設けることにより、対象物への注入ならび吸排出又は素材物混合が、らせん回転の流れをもたせることで血管内の血流の体内負荷、吸排水溝の排水の酸化を軽減、素材物混合の摩擦熱による酸化を防止する手段としたのである。
【００１３】採血針、点滴針、ワクチン注射針、血糖値検査針の極小の各種針の円筒内部壁を、液体の注入若しくは採血において、注入および採取方向に向かって右回りらせん回転となるように、円筒内部にらせん回転の溝、若しくは山なみを設ける成型方法は、成型するプラスチック、ガラス、金属、ＡＢＳ樹脂を円筒加工したのち、円筒内部に抜き差し自由の芯軸を差込み後、当該円筒加工した針の外部から左回り加工の型圧縮または左周りの型筒を通過させ内部壁が右回りのらせん回転の形状とする。
【００１４】液体を対象物に注入若しくは抜き取り操作に用いる射し込み針および液体注入器具内部壁のらせん回転の構、若しくは山なみは、円筒に形態加工後、円筒内部に所定の太さのらせん回転形状の凹凸芯棒を挿入し、外部から内部が右回り回転の溝構造になるように圧縮成型する。
【００１５】本発明の注入および吸排出口の内部壁にらせん回転の溝、若しくは山なみを設ける成型手段は、ガラスやゴムおよび金属素材を、らせん回転形状の凹凸の型に流し込んで使用目的に応じて、らせん回転を右回り若しくは左回りに成型手段をとる。
【実施例】
【００１６】以下、本発明の注射針および液体注入吸排出口又は素材物混合容器の内部構造を実施するための最良の形態について説明する。図１は液体の吸排出のらせん回転の流れを示す上から見た正面図である。図２は注射針および液体の吸排出口を示す上から見た正面図。図３は本発明の注射針の部分を示す全体図であり、１は注射針円筒管で本発明の注射針を示す。図４は本発明の注射針の注入および排出口内部壁の溝を輪切りにして横から見た側面図で、注射針円筒管内壁３のみにらせん回転の溝、若しくは山なみを設けた、注射針円筒管１、注射針円筒管外壁２であり、４は体内へのワクチンおよび栄養剤または点滴のらせん回転の注入方向となり、５は体内からの採血針は、右回りのらせん回転５となる。【００１７】さらに、図５において説明する。本発明の注射針の注入および排出口の内側および外側部壁の溝を輪切りにして横から見た側面図で、注射針円筒管内壁および外壁にもらせん回転の溝、若しくは山なみを設けた、注射針の円筒管１、注射針円筒管外壁２および内壁３とし、４は体内へのワクチンおよび栄養剤または点滴のらせん回転の注入方向となり、５は体内からの採血針は、右回りのらせん回転５となる。【００１８】そして、図６において説明する。本発明の液体の注入および排出口の内部壁の溝を輪切りにして横から見た側面図で、液体の注入および吸排出口管の内壁８のみにらせん回転の溝若しくは山なみを設けている、６は液体の注入および吸排出口の円筒管であり、７は液体の注入および吸排出口管の外壁、９は液体のらせん回転の吸排出方向である。図７において説明する。本発明の液体の注入および排出口の内側および外側部壁の溝を輪切りにした側面図で、液体の注入および吸排出口管の外壁７および内壁８にもらせん回転の溝若しくは山なみを設け、液体のらせん回転の吸排出方向９である。【００１９】さらに、図８について説明する。飲食物、製薬加工の混合過程にける混合素材される容器を卵型にして、卵型容器内壁を右回りのらせん回転の溝若しくは山なみを設け、右回りのらせん回転をほどこした側面図で、本発明の卵型容器内側壁面のらせん回転の溝および山なみの形状を輪切りにした側面図は、１０は卵型容器で、１１は卵型容器外側壁、１２は卵型容器内側壁とし、卵型容器内には１３の卵型容器内部壁面のらせん回転の溝若しくは１４のらせん回転の山なみ形状をもたせた中に混合素材物１５を入れ１６に示す通り卵型容器内の混合素材物は右回りのらせん回転となり、さらに、卵型容器そのものを右回りのらせん回転させる方向を示す１７である。
【発明の効果】
【００２０】本発明では、生命力の強いツル植物は、らせん回転をしながら物に巻付き成長するらせん構造は地表からの栄養吸収が直線より早く先端部に送り込むシステムを備えている。このように長い年月の流れの中で淘汰され脈々と継承された自然摂理すなわち生態系のシステムに着眼し、より体内へのストレス負荷を軽減し、酸化環境をなくすことで自然環境の汚染を軽減することにもつながるのである。
【００２１】また、本発明を構成する液体を対象物に注入若しくは抜き取り操作の吸排出に用いる注射針および液体注入吸排出口の内部構造又は素材物混合容器において、当該の射し込み針および液体注入吸排出口又は素材物混合容器のそれぞれの内部壁にらせん回転の溝、若しくは山なみを設けることにより、対象物への注入ならび吸排出又は素材物混合が、らせん回転の流れをもたせることで血管内の血流の体内負荷を軽減させるだけでなく、針先注入時にらせん回転注入により針先の接触面が減らせることで痛みの負荷を軽減させ、らせん回転の活用は、さらに吸排水溝の排水の酸化を軽減、素材物混合の摩擦熱による酸化を防止する手段が実現したのである。
【図面の簡単な説明】
【００２２】
【図１】本発明の液体の吸排出のらせん回転の流れを示す上から見た正面図。
【図２】本発明の注射針および液体の吸排出口を示す上から見た正面図。
【図３】本発明の注射針の部分を示す全体図。
【図４】本発明の注射針の注入および排出口の内部壁の溝を輪切りにした側面図。
【図５】本発明の注射針の注入および排出口の内側および外側部壁の溝を輪切りにした側面図。
【図６】本発明の液体の注入および排出口の内部壁の溝を輪切りにした側面図。
【図７】本発明の液体の注入および排出口の内側および外側部壁の溝を輪切りにした側面図。
【図８】本発明の卵型容器内側壁面のらせん状の溝および山なみの形状を輪切りにした側面図。
【符号の説明】
【符号の説明】
【００２３】１  注射針円筒管
２  注射針円筒管の外壁
３  注射針円筒管の内壁
４  体内へのワクチンおよび栄養剤または点滴のらせん回転の注入方向（採血時は血管の血流側からは逆方向となる）
５  体内からの採血はらせん回転が逆の注射針を使用
６  液体の注入および吸排出口の円筒管
７  液体の円筒注入および吸排出口管の外壁
８  液体の円筒注入および吸排出口管の内壁
９  液体のらせん回転の吸排出方向
１０  卵型容器
１１  卵型容器外側壁
１２  卵型容器内側壁
１３  卵型容器内部壁面のらせん回転の溝
１４  卵型容器内側壁面のらせん回転の山なみ
１５  卵型容器内の混合素材物
１６  卵型容器内の右回りのらせん回転
１７  卵型容器そのものを右回りのらせん回転させる方向を示す
【図１】
2013212339.tif 000003
【図２】
2013212339.tif 000004
【図３】
2013212339.tif 000005
【図４】
2013212339.tif 000006
【図５】
2013212339.tif 000007
【図６】
2013212339.tif 000008
【図７】
2013212339.tif 000009
【図８】
2013212339.tif 000010